(57)【要約】【課題】チャージトラップによる電流の減衰を防ぐことが可能な有機トランジスタの駆動方法、電気光学装置、電気光学装置の駆動方法及び電子機器を提供すること。【解決手段】チャネル領域の電気抵抗を減少させる極性の電圧をゲート電極に印加する期間（走査期間）内に、チャネル領域の電気抵抗を減少させる極性の電圧を対向電極に印加することとしたので、有機トランジスタにおいてチャージトラップによる電流の減衰を防ぐことが可能となる。これにより、当該有機トランジスタをスイッチング素子として用いた電気泳動表示装置の表示不良や残像の発生を防ぐことが可能となる。【選択図】図５
2008216542.tif 000002
【特許請求の範囲】
【請求項１】
チャネル領域、ソース領域及びドレイン領域を有する有機半導体層と、
前記有機半導体層と他の層との境界面のうちの第１の境界面に接触した第１の絶縁層を介して設けた第１の電極と、
前記境界面のうちの前記第１の境界面とは異なる第２の境界面に接触した第２の絶縁層を介して設けた第２の電極と、
を具備し、
前記チャネル領域の電気抵抗を減少させるための第１の電圧を前記第１の電極に印加する期間内に、前記チャネル領域の電気抵抗を減少させるための第２の電圧を前記第２の電極に印加することを特徴とする有機半導体素子の駆動方法。
【請求項２】
前記第１の境界面は、前記チャネル領域との境界面であることを特徴とする請求項１記載の有機半導体素子の駆動方法。
【請求項３】
前記第２の境界面は、前記チャネル領域との境界面であることを特徴とする請求項１又は２に記載の有機半導体素子の駆動方法。
【請求項４】
前記第２の電圧の印加期間は、前記第１の電圧の印加期間よりも短いことを特徴とする請求項１乃至３に記載の有機半導体素子の駆動方法。
【請求項５】
前記有機半導体層において、前記第１の境界面は、前記第２の境界面が存在する側の対向する側に存在することを特徴とする請求項１乃至４に記載の有機半導体素子の駆動方法。
【請求項６】
前記第２の電圧は、パルス電圧であることを特徴とする請求項１乃至５に記載の有機半導体素子の駆動方法。
【請求項７】
チャネル領域、ソース領域及びドレイン領域を有する有機半導体層と、前記有機半導体層のうち一方の面に対向し、前記有機半導体層の前記チャネル領域に平面視で重なるように前記有機半導体層との間に絶縁層を介して設けられたゲート電極と、前記有機半導体層のうち前記一方の面の反対側の面に対向し、前記有機半導体層の前記チャネル領域に平面視で重なるように、前記有機半導体層との間に絶縁層を介して設けられた対向電極とを備えた有機トランジスタをスイッチング素子として用いたアクティブマトリクス型の電気光学装置であって、
前記チャネル領域の電気抵抗を減少させる極性の電圧を前記ゲート電極に印加する期間内に、前記チャネル領域の電気抵抗を減少させる極性の電圧を前記対向電極に印加するように、前記対向電極に印加する電圧を制御する制御部を具備する
ことを特徴とする電気光学装置。
【請求項８】
前記制御部が、前記対向電極に電圧が印加される期間よりも前記対向電極に電圧が印加されない期間の方が長くなるように制御する
ことを特徴とする請求項７に記載の電気光学装置。
【請求項９】
前記対向電極に印加する電圧がパルス電圧である
ことを特徴とする請求項７又は請求項８に記載の電気光学装置。
【請求項１０】
チャネル領域、ソース領域及びドレイン領域を有する有機半導体層と、前記有機半導体層のうち一方の面に対向し、前記有機半導体層の前記チャネル領域に平面視で重なるように前記有機半導体層との間に絶縁層を介して設けられたゲート電極と、前記有機半導体層のうち前記一方の面の反対側の面に対向し、前記有機半導体層の前記チャネル領域に平面視で重なるように、前記有機半導体層との間に絶縁層を介して設けられた対向電極とを備えた有機トランジスタをスイッチング素子として用いたアクティブマトリクス型の電気光学装置の駆動方法であって、
前記チャネル領域の電気抵抗を減少させる極性の電圧を前記ゲート電極に印加する期間内に、前記チャネル領域の電気抵抗を減少させる極性の電圧を前記対向電極に印加する
ことを特徴とする電気光学装置の駆動方法。
【請求項１１】
請求項７乃至請求項９のうちいずれか一項に記載の電気光学装置を搭載したことを特徴とする電子機器。
【発明の詳細な説明】
【技術分野】
【０００１】
本発明は、有機半導体素子の駆動方法、電気光学装置、電気光学装置の駆動方法及び電子機器に関する。
【背景技術】
【０００２】
液晶装置や電気泳動表示装置などの電気光学装置が様々な分野で用いられるようになっている。電気光学装置は、複数の画素が表示面に平面視でマトリクス状に配置された構成になっており、各画素には画素電極が設けられている。画素電極には、スイッチング素子が接続されており、各画素電極に供給する電気信号のオンオフを切り替えるようになっている。スイッチング素子として有機トランジスタを用いる技術が提案されている。近年では、特許文献１に示すように、通常のトップゲート型の有機トランジスタの背面（半導体層の裏面）にゲート電極を更に配置したバックゲート型の構成が提案されている。  
【特許文献１】特開２００５−１６６７１３号公報
【発明の開示】
【発明が解決しようとする課題】
【０００３】
しかしながら、有機トランジスタをオンにし続けると、チャージトラップと呼ばれる現象が発生し、当該有機トランジスタを流れる電流が時間と共に減衰するという問題がある。この電流が減衰すると、画素電極に印加される電圧が減衰し、表示不良や残像が発生する原因となる。
【０００４】
以上のような事情に鑑み、本発明の目的は、チャージトラップによる電流の減衰を防ぐことが可能な有機半導体素子の駆動方法、電気光学装置、電気光学装置の駆動方法及び電子機器を提供することにある。
【課題を解決するための手段】
【０００５】
上記目的を達成するため、本発明に係る有機半導体素子の駆動方法は、チャネル領域、ソース領域及びドレイン領域を有する有機半導体層と、前記有機半導体層と他の層との境界面のうちの第１の境界面に接触した第１の絶縁層を介して設けた第１の電極と、前記境界面のうちの前記第１の境界面とは異なる第２の境界面に接触した第２の絶縁層を介して設けた第２の電極と、を具備し、前記チャネル領域の電気抵抗を減少させるための第１の電圧を前記第１の電極に印加する期間内に、前記チャネル領域の電気抵抗を減少させるための第２の電圧を前記第２の電極に印加することを特徴とする。
【０００６】
本発明者らは、有機半導体素子を構成する有機半導体層のうちチャネル領域の電気抵抗を減少させる極性の電圧を電極に印加する期間内に、チャネル領域の電気抵抗を減少させる極性の電圧を他の電極に印加することにより、チャージトラップによる電流の減衰を防ぐことが可能である点を見出した。そこで、本発明によれば、チャネル領域、ソース領域及びドレイン領域を有する有機半導体層と、有機半導体層と他の層との境界面のうちの第１の境界面に接触した第１の絶縁層を介して設けた第１の電極と、境界面のうちの第１の境界面とは異なる第２の境界面に接触した第２の絶縁層を介して設けた第２の電極とを具備する有機半導体素子を駆動する際に、チャネル領域の電気抵抗を減少させるための第１の電圧を第１の電極に印加する期間内に、チャネル領域の電気抵抗を減少させるための第２の電圧を第２の電極に印加することとしたので、チャージトラップによる電流の減衰を防ぐことが可能となる。
【０００７】
上記の有機半導体素子は、前記第１の境界面は、前記チャネル領域との境界面であることを特徴とする。  
本発明によれば、第１の境界面がチャネル領域との境界面であることとしたので、チャネル領域に効率的に第１の電圧を印加することができる。
【０００８】
上記の有機半導体素子は、前記第２の境界面は、前記チャネル領域との境界面であることを特徴とする。  
本発明によれば、第２の境界面がチャネル領域との境界面であることとしたので、チャネル領域に効率的に第２の電圧を印加することができる。
【０００９】
上記の有機半導体素子は、前記第２の電圧の印加期間は、前記第１の電圧の印加期間よりも短いことを特徴とする。  
本発明によれば、第２の電圧の印加期間が第１の電圧の印加期間よりも短いこととしたので、第１の電圧の印加期間内に確実に第２の電圧を印加することができる。これにより、確実にチャージトラップによる電流の減衰を防ぐことができる。
【００１０】
上記の有機半導体素子は、前記有機半導体層において、前記第１の境界面は、前記第２の境界面が存在する側の対向する側に存在することを特徴とする。  
本発明によれば、有機半導体層において、第１の境界面が第２の境界面が存在する側の対向する側に存在することとしたので、第１の電圧と第２の電圧とが直接的に影響しあうのを回避することができる。これにより、半導体素子の動作不良を回避することができる。
【００１１】
上記の有機半導体素子は、前記第２の電圧は、パルス電圧であることを特徴とする。  
本発明によれば、第２の電圧がパルス電圧であることとしたので、第２の電極に第２の電圧を印加し続けた状態になるのを回避することができる。これにより、第２の電極側においてチャージトラップが発生するのを防ぐことができる。これにより、安定駆動を実現することが可能となり、表示不良や残像の発生をより確実に防ぐことができる。
【００１２】
本発明に係る電気光学装置は、チャネル領域、ソース領域及びドレイン領域を有する有機半導体層と、前記有機半導体層のうち一方の面に対向し、前記有機半導体層の前記チャネル領域に平面視で重なるように前記有機半導体層との間に絶縁層を介して設けられたゲート電極と、前記有機半導体層のうち前記一方の面の反対側の面に対向し、前記有機半導体層の前記チャネル領域に平面視で重なるように、前記有機半導体層との間に絶縁層を介して設けられた対向電極とを備えた有機トランジスタをスイッチング素子として用いたアクティブマトリクス型の電気光学装置であって、前記チャネル領域の電気抵抗を減少させる極性の電圧を前記ゲート電極に印加する期間内に、前記チャネル領域の電気抵抗を減少させる極性の電圧を前記対向電極に印加するように、前記対向電極に印加する電圧を制御する制御部を具備することを特徴とする。  
本発明によれば、チャネル領域の電気抵抗を減少させる極性の電圧をゲート電極に印加する期間内に、チャネル領域の電気抵抗を減少させる極性の電圧を対向電極に印加するように、対向電極に印加する電圧を制御する制御部を具備することとしたので、当該制御部の制御によってチャージトラップによる電流の減衰を防ぐことが可能となる。これにより、表示不良や残像の発生を防ぐことが可能となる。
【００１３】
上記の電気光学装置は、前記制御部が、前記対向電極に電圧が印加される期間よりも前記対向電極に電圧が印加されない期間の方が長くなるように制御することを特徴とする。  
本発明によれば、制御部が、対向電極に電圧が印加される期間よりも対向電極に電圧が印加されない期間の方が長くなるように制御するので、対向電極側においてディスチャージ時間を十分に確保することができる。これにより、安定駆動を実現することが可能となり、表示不良や残像の発生をより確実に防ぐことができる。
【００１４】
上記の電気光学装置は、前記対向電極に印加する電圧がパルス電圧であることを特徴とする。  
本発明によれば、対向電極に印加する電圧がパルス電圧であるため、対向電極に電圧を印加し続けた状態になるのを回避することができる。これにより、対向電極側においてチャージトラップが発生するのを防ぐことができる。これにより、安定駆動を実現することが可能となり、表示不良や残像の発生をより確実に防ぐことができる。
【００１５】
本発明に係る電気光学装置の駆動方法は、チャネル領域、ソース領域及びドレイン領域を有する有機半導体層と、前記有機半導体層のうち一方の面に対向し、前記有機半導体層の前記チャネル領域に平面視で重なるように前記有機半導体層との間に絶縁層を介して設けられたゲート電極と、前記有機半導体層のうち前記一方の面の反対側の面に対向し、前記有機半導体層の前記チャネル領域に平面視で重なるように、前記有機半導体層との間に絶縁層を介して設けられた対向電極とを備えた有機トランジスタをスイッチング素子として用いたアクティブマトリクス型の電気光学装置の駆動方法であって、前記チャネル領域の電気抵抗を減少させる極性の電圧を前記ゲート電極に印加する期間内に、前記チャネル領域の電気抵抗を減少させる極性の電圧を前記対向電極に印加することを特徴とする。  
本発明によれば、チャネル領域の電気抵抗を減少させる極性の電圧をゲート電極に印加する期間内に、チャネル領域の電気抵抗を減少させる極性の電圧を対向電極に印加することとしたので、当該制御部の制御によってチャージトラップによる電流の減衰を防ぐことが可能となる。これにより、表示不良や残像の発生を防ぐことが可能となる。
【００１６】
本発明に係る電子機器は、上記の電気光学装置を搭載したことを特徴とする。  
本発明によれば、表示の乱れや残像の発生を防ぐことが可能な電気光学装置を備えているので、表示部の表示特性が高い電子機器を得ることができる。
【発明を実施するための最良の形態】
【００１７】
［第１実施形態］  
本発明の第１実施形態を図面に基づき説明する。  
図１は、本実施形態に係る電気泳動表示装置１の断面構成を示す模式図である。  
同図に示すように、電気泳動表示装置１は、表示領域に画素７がマトリクス状に配列された表示部２と、画素７の間の領域を表示部２の図中短手方向に延在するデータ線５と、画素７の間の領域を表示部２の長手方向に延在する走査線６と、データ線５に信号を供給するデータ線駆動回路３と、走査線６に信号を供給する走査線駆動回路４とを含んで構成されている。各画素７にはスイッチング素子として有機トランジスタ４１がそれぞれ設けられている。有機トランジスタ４１は、電圧制御回路８に接続されている。データ線駆動回路３、走査線駆動回路４及び電圧制御回路８はコントローラ５０にそれぞれ接続されている。
【００１８】
図２は、電気泳動表示装置１の表示部２の構成を示す断面図である。  
同図に示すように、表示部２は、素子基板１０と、保護シート２０と、マイクロカプセル３０とを主体として構成されている。
【００１９】
素子基板１０は、例えばガラスやプラスチックなどの材料からなる矩形の基板である。
素子基板１０の内面（保護シート２０との対向面）には、画素７ごとに画素電極１１が形成されている。画素電極１１の間の領域又は画素電極の下には、上述したデータ線５や走査線６などの配線（図１参照）や、スイッチング素子（図４参照）が設けられている。
【００２０】
保護シート２０は、例えばガラスなどの光透過可能な材料からなる矩形の基板である。
保護シート２０の内面（素子基板１０との対向面）には、共通電極２１が全面に形成されている。共通電極２１は、導電材料、例えばＩＴＯ（Indium Tin Oxide）などからなる。
【００２１】
図３（ａ）は、マイクロカプセル３０の構成を示す図である。  
マイクロカプセル３０は、例えば５０μｍ程度の粒径を有すると共にポリメタクリル酸メチル、ポリメタクリル酸エチル等のアクリル樹脂、ユリア樹脂、アラビアゴム等の光透過可能な高分子樹脂によって形成されたカプセルである。このマイクロカプセル３０は、共通電極２１と上述の画素電極１１との間に挟持されており、一つの画素内に複数のマイクロカプセル３０が縦横に配列された構成になっている。マイクロカプセル３０の周囲を埋めるように、当該マイクロカプセル３０を固定するバインダ（図示しない）が設けられている。
【００２２】
マイクロカプセル３０の内部には、分散剤３１と、分散質としての帯電粒子（白色粒子３２及び黒色粒子３３）とが封入されている。  
分散剤３１は、例えば水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものからなり、白色粒子３２と黒色粒子３３とを分散させる液体である。
【００２３】
白色粒子３２及び黒色粒子３３は、分散剤３１中で電位差による電気泳動により移動する性質を有している。  
白色粒子３２は、例えば、二酸化チタン、亜鉛華、三酸化アンチモン等の白色顔料からなる粒子（高分子あるいはコロイド）であり、例えば負に帯電されている。  
黒色粒子３３は、例えば、アニリンブラック、カーボンブラック等の黒色顔料からなる粒子（高分子あるいはコロイド）であり、例えば正に帯電されている。
【００２４】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００２５】
上記のように構成されたマイクロカプセル３０の動作を説明する。画素電極１１と共通電極２１との間で相対的に共通電極２１の電圧が高くなるように電圧を印加すると、図３（ｂ）に示すように、正に帯電された黒色粒子３３はクーロン力によってマイクロカプセル３０内の画素電極側に引き寄せられる。一方、負に帯電された白色粒子３２はクーロン力によってマイクロカプセル３０内の共通電極２１に引き寄せられる。この結果、マイクロカプセル３０内の表示面側には白色粒子３２が集まることになり、表示面２０ａにはこの白色粒子３２の色（白色）が表示されることとなる。
【００２６】
逆に、画素電極１１と共通電極２１との間に相対的に画素電極１１の電位が高くなるように電圧を印加すると、図３（ｃ）に示すように、負に帯電された白色粒子３２がクーロン力によって画素電極１１側に引き寄せられる。逆に、正に帯電された黒色粒子３３はクーロン力によって共通電極２１側に引き寄せられる。この結果、マイクロカプセル３０内の表示面側には黒色粒子３３が集まることになり、表示面２０ａにはこの黒色粒子３３の色が表示されることとなる。
【００２７】
図４は、表示部２のうち１つの画素についての回路構成を示す図である。  
同図に示すように、画素電極１１はスイッチング素子４１を介してデータ線５に接続されており、共通電極２１は所定の電位を設定可能な電源等に接続されている。本実施形態では、スイッチング素子４１はいわゆるバックゲート型の有機トランジスタである。
【００２８】
スイッチング素子４１は、チャネル領域４１Ｃ、ソース領域４１Ｓ及びドレイン領域４１Ｄを有する有機半導体層と、この有機半導体層のうち一方の面に対向して設けられたゲート電極（第１の電極）４１Ｇと、この有機半導体層を挟んでゲート電極４１Ｇの反対側には対向電極（第２の電極）４１Ｂとを主体として構成されている。ゲート電極４１Ｇは、チャネル領域４１Ｃに平面視で重なるように設けられている。ゲート電極４１Ｇと有機半導体層との間にはゲート絶縁層が設けられている。対向電極４１Ｂは、平面視でチャネル領域４１Ｃに重なる領域に設けられている。対向電極４１Ｂと有機半導体層との間には絶縁層が設けられている。
【００２９】
スイッチング素子４１のうちゲート電極４１Ｇは走査線６に接続されており、ソース領域４１Ｓはデータ線５に接続されており、ドレイン領域４１Ｄは画素電極１１に接続されている。対向電極４１Ｂは、上述の電圧制御回路８に接続されている。電圧制御回路８は、対向電極４１Ｂに印加される電圧を制御する。ドレイン電極４１Ｄには、保持容量９も接続されている。
【００３０】
走査線６は、上述した走査線駆動回路４に接続されている。走査線駆動回路４がゲート電極４１Ｇに所定のゲート信号を供給することにより、チャネル領域４１Ｃの電気抵抗が減少するようになっている。同様に、電圧制御回路８が所定の信号を対向電極４１Ｂに供給することにより、チャネル領域４１Ｃの電気抵抗が減少するようになっている。電気抵抗が減少したチャネル領域４１Ｃを介して、データ線５に供給されるデータ信号が画素電極１１に流れ込むようになっている。
【００３１】
次に、上記のように構成された電気泳動表示装置１の動作のうち、表示内容を更新する場合の動作を説明する。ここでは、表示部２の表示領域に新たな画像を表示する際の書き込みの動作を中心に説明する。
【００３２】
表示部２の表示領域に新たな画像を表示する場合、共通電極２１と表示部２のうち新たな画像を表示する部分の画素電極１１との間に書込電圧を印加する。図５に示すように、共通電極（ＣＯＭｅｐｄ）２１にオフ電圧（０Ｖ）を印加すると共に、新たな画像を表示する部分の画素におけるデータ線５にオン電圧を印加する。この状態で、走査線６を１本ずつ走査期間ｔ１となるように走査していく。各走査線６の走査期間ｔ１の間には時間ｔ２を開ける様にする。この走査期間ｔ１内には、新たな画像を表示する部分の画素における走査線６（ゲート電極４１Ｇ）にオフ電圧を印加する（第１の電圧）。
【００３３】
これに加えて、本実施形態では、各走査線６を走査する期間ｔ１内に、スイッチング素子４１の対向電極４１Ｂに所定期間ｔ３のパルス電圧を印加する（第２の電圧）。このパルス電圧はオフ電圧であり、チャネル領域４１Ｃの電気抵抗を減少させる極性の電圧、すなわち、ゲート電極４１Ｇに印加する電圧と同一の極性を有する電圧（オフ電圧）である。このパルス電圧は時間ｔ４の間隔をおいて印加する。ｔ３＜ｔ４となるように印加することが好ましい。
【００３４】
なお、図５に示す例では共通電極２１の電圧を一定にしておいたが、これに限られることは無く、例えば図６に示すように、走査期間ｔ１内に共通電極２１にパルス電圧を印加するように制御しても構わない。この場合、パルス電圧としてはオン電圧を印加するようにする。
【００３５】
このように、本実施形態によれば、チャネル領域４１Ｃの電気抵抗を減少させる極性の電圧をゲート電極４１Ｇに印加する期間（走査期間ｔ１）内に、チャネル領域４１Ｃの電気抵抗を減少させる極性の電圧を対向電極４１Ｂに印加することとしたので、有機トランジスタにおいてチャージトラップによる電流の減衰を防ぐことが可能となる。これにより、当該有機トランジスタをスイッチング素子４１として用いた電気泳動表示装置１の表示不良や残像の発生を防ぐことが可能となる。
【００３６】
また、本実施形態では、電圧制御回路８が、対向電極４１Ｂに電圧が印加される期間（ｔ３）よりも対向電極４１Ｂに電圧が印加されない期間（ｔ４）の方が長くなる（ｔ３＜ｔ４）ように制御するので、対向電極４１Ｂ側においてディスチャージ時間を十分に確保することができる。これにより、安定駆動を実現することが可能となり、表示不良や残像の発生をより確実に防ぐことができる。
【００３７】
また、本実施形態によれば、対向電極４１Ｂに印加する電圧がパルス電圧であるため、対向電極４１Ｂに電圧を印加し続けた状態になるのを回避することができる。これにより、対向電極４１Ｂ側においてチャージトラップが発生するのを防ぐことができる。これにより、安定駆動を実現することが可能となり、表示不良や残像の発生をより確実に防ぐことができる。
【００３８】
［第２実施形態］  
次に、本発明の第２実施形態係る電子機器について、電子ブックを例に挙げて説明する。  
図７は、電子ブックの構成を示す斜視図である。  
同図に示すように、電子ブック１３１は、ブック形状のフレーム１３２と、このフレーム１３２に開閉可能なカバー１３３とを有する。フレーム１３２には、その表面に表示面を露出させた状態で表示部１３４が設けられ、さらに、操作部１３５が設けられている。
フレーム１３２の内部には、コントローラ、カウンタ及びメモリも内蔵されている。この表示部１３４として、上記の電気泳動表示装置１が搭載されている。  
このように、表示の乱れや残像の発生を防ぐことが可能な電気泳動表示装置１が搭載されているので、表示特性の高い電子ブック１３１を得ることができる。
【００３９】
本発明の技術範囲は上記実施形態に限定されるものではなく、本発明の趣旨を逸脱しない範囲で適宜変更を加えることができる。  
上記実施形態では、全ての画素における対向電極４１Ｂを同時に駆動する場合を例に挙げて説明したが、これに限られることは無く、例えばゲート電極４１Ｇにオフ電圧が印加された画素７に設けられた対向電極４１Ｂだけにオフ電圧を印加するように、電圧制御回路８が制御しても構わない。これにより、１本の走査線６において走査期間ｔ１が終了した後、次の走査期間までの間、対向電極４１Ｂをディスチャージさせることができる。
【００４０】
上記実施形態では、電気光学装置として電気泳動表示装置を例に挙げて説明したが、これに限られることは無く、例えば液晶装置や有機ＥＬ装置など、アクティブマトリクス方式によって駆動する電気光学装置についても本発明の適用は可能である。
【図面の簡単な説明】
【００４１】
【図１】本発明の第１実施形態に係る電気泳動表示装置の構成を示す模式図。
【図２】本実施形態に係る電気泳動表示装置の構成を示す断面図。
【図３】本実施形態に係る電気泳動表示装置のマイクロカプセルの構成を示す断面図。
【図４】本実施形態に係る電気泳動表示装置の画素の構成を示す回路図。
【図５】本実施形態に係る電気泳動表示装置の駆動方式を示すタイミングチャート。
【図６】同、タイミングチャート。
【図７】本発明の第２実施形態に係る電子ブックの構成を示す斜視図。
【符号の説明】
【００４２】
１…電気泳動表示装置  ２…表示部  ３…データ線駆動回路  ４…走査線駆動回路  ５…データ線  ６…走査線  ７…画素  ８…電圧制御回路  １０…素子基板  １１…画素電極  ２０ａ…表示面  ２１…共通電極  ３０…マイクロカプセル  ４１…スイッチング素子  ４１Ｇ…ゲート電極  ４１Ｓ…ソース電極  ４１Ｄ…ドレイン電極  ４１Ｂ…対向電極  １３１…電子ブック
【図１】
2008216542.tif 000003
【図２】
2008216542.tif 000004
【図３】
2008216542.tif 000005
【図４】
2008216542.tif 000006
【図５】
2008216542.tif 000007
【図６】
2008216542.tif 000008
【図７】
2008216542.tif 000009